(57)【要約】【課題】ＰＰＰｏＥのセッションを接続・切断するたびにユーザが自分で比率を考えて設定する必要がなく、限られた通信帯域を持つ物理回線をＰＰＰｏＥセッションの接続状況に応じて効率よく有効に使用することができるゲートウェイ装置を提供する。【解決手段】各セッション＃１〜＃３に優先度の異なるキュー＃１〜＃３に対してパケットを振り分けて格納し、更に各セッション＃１〜＃３のキュー＃１〜＃３に格納したパケットを予め決定した比率で読み出し、各セッション＃１〜＃３の切断又は接続があった場合には、現時点で設定されている各セッション＃１〜＃３の通信帯域の総和が等しくなるようにパケット読み出し比率を再計算する。【選択図】      図１
2004179684.tif 000002
【特許請求の範囲】
【請求項１】
１つの物理回線の中に複数のＰＰＰｏＥ（ＰＰＰ  ｏｖｅｒ  Ｅｔｈｅｒｎｅｔ（Ｒ））セッションを同時に接続するゲートウェイ装置における各セッション夫々のストリームの優先制御を行う優先制御方法であって、前記各セッション夫々に優先度の異なる複数キューに対してパケットを振り分けて格納し、更に前記各セッション夫々の複数キューに格納したパケットを予め決定した比率で読み出し、前記各セッションの切断又は接続があった場合には前記各セッション夫々の複数キューからのパケット読み出し比率を再計算することを特徴とする優先制御方法。
【請求項２】
現時点で設定されている前記各セッション夫々の通信帯域の総和が等しくなるようにパケット読み出し比率を再計算することを特徴とする請求項１に記載の優先制御方法。
【請求項３】
前記各セッション夫々の複数キューのうち、予め優先度が最も低レベルに設定したキューに対してのみパケット読み出し比率を再計算することを特徴とする請求項１に記載の優先制御方法。
【請求項４】
前記各セッション夫々の複数キューに予め優先付けして決定したパケット読み出し比率を維持した状態で前記各セッションの通信帯域の総和を再計算することを特徴とする請求項１に記載の優先制御方法。
【請求項５】
前記複数のセッションのうち、所定のセッションのみパケット読み出し比率を再計算することを特徴とする請求項１に記載の優先制御方法。
【請求項６】
１つの物理回線の中に複数のＰＰＰｏＥ（ＰＰＰ  ｏｖｅｒ  Ｅｔｈｅｒｎｅｔ（Ｒ））セッションを同時に接続するゲートウェイ装置に用いる各セッション夫々のストリームの優先制御を行う優先制御プログラムであって、前記各セッションの切断及び接続を監視する接続監視手順と、前記各セッション夫々に優先度の異なる複数キューに対してパケットを振り分けるパケット振り分け手順と、前記各セッション夫々の複数キューに格納されたパケットの読み出し比率を計算し、また各セッションの切断又は接続があったときにはパケット読み出し比率の再計算を行うパケット読み出し比率計算手順と、前記パケット読み出し比率計算手順で計算されたパケット読み出し比率で前記各セッション夫々の複数キューからパケットの読み出しを行うパケット読み出し手順と、を具備することを特徴とする優先制御プログラム。
【請求項７】
請求項６に記載の優先制御プログラムを記憶したことを特徴とする記憶媒体。
【請求項８】
１つの物理回線の中に複数のＰＰＰｏＥ（ＰＰＰ  ｏｖｅｒ  Ｅｔｈｅｒｎｅｔ（Ｒ））セッションを同時に接続し、各セッション夫々のストリームの優先制御を行うゲートウェイ装置であって、前記各セッションの切断及び接続を監視する接続監視手段と、前記各セッション夫々に設けられた複数のパケット格納手段と、前記各セッション夫々に優先度の異なる前記複数のパケット格納手段に対してパケットを振り分けるパケット振り分け手段と、前記各セッション夫々の前記複数のパケット格納手段に格納されたパケットを予め決定された比率で読み出すパケット読み出し手段と、前記各セッション夫々の複数のパケット格納手段からのパケット読み出し比率を計算する計算手段とを具備し、前記計算手段は、各セッションの切断又は接続が検知された場合に前記各セッション夫々の複数のパケット格納手段からのパケットの読み出し比率を再計算することを特徴とするゲートウェイ装置。
【発明の詳細な説明】
【０００１】
【発明の属する技術分野】
本発明は、１つの物理回線の中に複数のＰＰＰｏＥ（Ｐｏｉｎｔ  ｔｏ  Ｐｏｉｎｔ  Ｐｒｏｔｏｃｏｌｏｖｅｒ  Ｅｔｈｅｒｎｅｔ（Ｒ））セッションを同時に接続するゲートウェイ装置における各セッション毎のストリームの優先制御を行う優先制御方法に関する。
【０００２】
【従来の技術】
近年、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）などのブロードバンドネットワークと呼ばれる高速なインターネット接続環境が普及している。ブロードバンドネットワークによるインターネット接続を行う場合、ＰＰＰｏＥと呼ばれるプロトコルを用いてユーザ認証を行い、公衆網を介してネットワーク端末をインターネットに接続する場合が多い。ＰＰＰｏＥはイーサネット（Ｒ）と言う１本の物理回線の中に複数のユーザ毎に仮想的なコネクションを張ることができる仕組みを提供している。
【０００３】
ところで、近年、インターネット接続環境のブロードバンド化に伴い、インターネットを介して画像や映像といった大容量のコンテンツを送受信したいというユーザの要求も高まりつつあるが、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を基本とするパケット通信ではコネクションという概念がないため、厳密に通信帯域を保証することは難しい。そこで、パケットを中継するゲートウェイ装置などに優先度を付けたキューを設け、一度パケットをキューに格納した後、予め決められた優先度に基づきキューからパケットを読み出す順番（読み出し比率）を計算し、優先度の高いパケットから送信するという方法で優先制御を行い通信帯域を保証するようにしている。
【０００４】
【発明が解決しようとする課題】
しかしながら、この優先制御方法においては、次のような問題がある。
すなわち、複数のユーザがＰＰＰｏＥセッションをそれぞれ確立し、各セッション毎に優先制御を行う場合、各セッション毎に優先度の異なる複数のキューを設けてパケットの読み出し比率を計算する方法で通信帯域を保証することになるが、ある時点での最適な読み出し比率は、その時点で実際に接続されているＰＰＰｏＥセッションの組み合わせにより決まることから、各キューに設定する優先度及び読み出し比率をコンソールなどからユーザが設定する方法では、ＰＰＰｏＥのセッションを接続・切断するたびにユーザが自分で比率を考えて設定しなければならない。
【０００５】
本発明は係る点に鑑みてなされたものであり、ＰＰＰｏＥのセッションを接続・切断するたびにユーザが自分で比率を考えて設定する必要がなく、限られた通信帯域を持つ物理回線をＰＰＰｏＥセッションの接続状況に応じて効率よく有効に使用することができる優先制御方法を提供することを目的とする。
【０００６】
【課題を解決するための手段】
請求項１に係る発明の優先制御方法は、１つの物理回線の中に複数のＰＰＰｏＥセッションを同時に接続するゲートウェイ装置における各セッション夫々のストリームの優先制御を行う優先制御方法であって、前記各セッション夫々に優先度の異なる複数キューに対してパケットを振り分けて格納し、更に前記各セッション夫々の複数キューに格納したパケットを予め決定した比率で読み出し、前記各セッションの切断又は接続があった場合には前記各セッション夫々の複数キューからのパケット読み出し比率を再計算する。
【０００７】
この方法によれば、あるセッションが開放されたときに、同時に接続していた他の複数セッションの複数キューに対して設定されていたパケット読み出し比率を再計算するので、開放されたセッションが確保していた通信帯域を他のセッションが使用することかできるようになり、通信帯域を有効に活用することが可能となる。
【０００８】
請求項２に係る発明の優先制御方法は、請求項１に係る発明の優先制御方法において、現時点で設定されている前記各セッション夫々の通信帯域の総和が等しくなるようにパケット読み出し比率を再計算する。
【０００９】
この方法によれば、各セッション夫々の通信帯域の総和が等しくなるようにパケット読み出し比率を再計算するので、接続中の各セッションにおける通信帯域の公平性を保つことが可能となる。
【００１０】
請求項３に係る発明の優先制御方法は、請求項１に係る発明の優先制御方法において、前記各セッション夫々の複数キューのうち、予め優先度が最も低レベルに設定したキューに対してのみパケット読み出し比率を再計算する。
【００１１】
この方法によれば、各セッション夫々の複数キューのうち、予め優先度が最も低レベルに設定されたキューのみパケット読み出し比率を再計算するので、接続中の各セッションにおける高優先度データ用の帯域を確保した通信帯域の有効利用が可能となる。
【００１２】
請求項４に係る発明の優先制御方法は、請求項１に係る発明の優先制御方法において、前記各セッション夫々の複数キューに予め優先付けして決定したパケット読み出し比率を維持した状態で前記各セッションの通信帯域の総和を再計算する。
【００１３】
この方法によれば、各セッション夫々の複数キューに予め優先付けして決定したパケット読み出し比率を維持した状態で各セッションにおける通信帯域の総和を再計算することで、接続中の各セッションにおける優先比率を変えることなく通信帯域の有効利用ができる。
【００１４】
請求項５に係る発明の優先制御方法は、請求項１に係る発明の優先制御方法において、前記複数のセッションのうち、所定のセッションのみパケット読み出し比率を再計算する。
【００１５】
この方法によれば、所定のセッションに限定してパケット読み出し比率を再計算するので、接続中のある優遇されたセッションの通信帯域を優先的に確保することが可能となる。
【００１６】
請求項６に係る発明の優先制御プログラムは、１つの物理回線の中に複数のＰＰＰｏＥセッションを同時に接続するゲートウェイ装置に用いる各セッション夫々のストリームの優先制御を行う優先制御プログラムであって、前記各セッションの切断及び接続を監視する接続監視手順と、前記各セッション夫々に優先度の異なる複数キューに対してパケットを振り分けるパケット振り分け手順と、前記各セッション夫々の複数キューに格納されたパケットの読み出し比率を計算し、また各セッションの切断又は接続があったときにはパケット読み出し比率の再計算を行うパケット読み出し比率計算手順と、前記パケット読み出し比率計算手順で計算されたパケット読み出し比率で前記各セッション夫々の複数キューからパケットの読み出しを行うパケット読み出し手順と、を具備する。
【００１７】
このプログラムによれば、あるセッションが開放されたときに、同時に接続していた他の複数セッションの複数キューに対して設定されていたパケット読み出し比率を再計算するので、開放されたセッションが確保していた通信帯域を他のセッションが使用することかでき、通信帯域を有効に活用することが可能なゲートウェイ装置を提供できる。
【００１８】
請求項７に係る発明の記憶媒体は、請求項６に係る発明の優先制御プログラムを記憶したことを特徴とする。
【００１９】
この記憶媒体をコンピュータ制御のゲートウェイ装置に用いることで、通信帯域を有効に活用できるようになる。
【００２０】
請求項８に係る発明のゲートウェイ装置は、１つの物理回線の中に複数のＰＰＰｏＥセッションを同時に接続し、各セッション夫々のストリームの優先制御を行うゲートウェイ装置であって、前記各セッションの切断及び接続を監視する接続監視手段と、前記各セッション夫々に設けられた複数のパケット格納手段と、前記各セッション夫々に優先度の異なる前記複数のパケット格納手段に対してパケットを振り分けるパケット振り分け手段と、前記各セッション夫々の前記複数のパケット格納手段に格納されたパケットを予め決定された比率で読み出すパケット読み出し手段と、前記各セッション夫々の複数のパケット格納手段からのパケット読み出し比率を計算する計算手段とを具備し、前記計算手段は、各セッションの切断又は接続が検知された場合に前記各セッション夫々の複数のパケット格納手段からのパケットの読み出し比率を再計算する構成を採る。
【００２１】
この構成によれば、あるセッションが開放されたときに、同時に接続していた他の複数セッションの複数キューに対して設定されていたパケット読み出し比率を再計算するので、開放されたセッションが確保していた通信帯域を他のセッションが使用することかできるようになり、通信帯域を有効に活用することが可能なゲートウェイ装置を提供できる。
【００２２】
【発明の実施の形態】
本発明の骨子は、ＰＰＰｏＥのセッションの切断や接続を検知して、各セッション毎の複数のキューにおけるパケット読み出し比率を再計算することで、限られた通信帯域を持つ物理回線をＰＰＰｏＥセッションの接続状況に応じて効率よく有効に使用できるようにすることである。
【００２３】
以下、本発明の実施の形態について、図面を参照して詳細に説明する。
【００２４】
（実施の形態１）
図１は、本発明の実施の形態１に係るゲートウェイ装置の構成を示すブロック図である。
【００２５】
この図において、本実施の形態に係るゲートウェイ装置１０は、複数のＰＰＰｏＥセッション＃１〜＃ｎ夫々の切断及び接続を監視する接続監視部１１と、各セッション＃１〜＃ｎ毎に複数のキュー＃１、＃２、…、＃ｎを持つキュー部１２と、各セッション＃１〜＃ｎ毎に優先度の異なるキュー＃１、＃２、…、＃ｎへパケットの振り分けを行う振り分け部１３と、各セッション＃１〜＃ｎのキュー＃１、＃２、…、＃ｎから所定のタイミングでパケットを読み出す読み出し部１４と、接続監視部１１からのセッション切断及び接続の情報を契機にパケットの読み出し比率を再計算し、その結果を読み出し部１４へ通知する計算部１５とを備えている。
【００２６】
図２は、本実施の形態に係るゲートウェイ装置１０を用いたネットワーク構成例である。
この例では、複数のＰＰＰｏＥセッションを同時に接続する機能を持つゲートウェイ装置１０を使用して、ユーザＡ、ユーザＢ、ユーザＣがそれぞれＰＰＰｏＥセッションを確立し、画像データ、ＷＥＢデータ、その他のデータといった優先度の異なるデータを送受信する場合を想定している。
【００２７】
また、予めユーザ毎に３Ｍｂｐｓの通信帯域が決められているものとする。また、ゲートウェイ装置１０の入力側であるＷＡＮ（Ｗｉｄｅ  Ａｒｅａ  Ｎｅｔｗｏｒｋ）側が９Ｍｂｐｓの通信帯域があるものとして、ユーザＡについては、画像データ：２Ｍｂｐｓ、ＷＥＢデータ：０．５Ｍｂｐｓ、その他のデータ：０．５Ｍｂｐｓの通信帯域が夫々定められており、ユーザＢについては、画像データ：１Ｍｂｐｓ、ＷＥＢデータ：１Ｍｂｐｓ、その他のデータ：１Ｍｂｐｓの通信帯域が夫々定められており、ユーザＣについては、画像データ：０．５Ｍｂｐｓ、ＷＥＢデータ：１Ｍｂｐｓ、その他のデータ：１．５Ｍｂｐｓの通信帯域が夫々定められているものとする。
【００２８】
いま、図３の動作説明図に示すように、ユーザＡ〜Ｃ毎に３Ｍｂｐｓの通信帯域が決められているときに、図４の動作説明図に示すように、ユーザＣが使用していたセッション＃３が切断されると、接続監視部１１は、その切断を検知して計算部１５に通知する。計算部１５は、その通知を契機にキュー部１２からのパケットの読み出し比率を再計算する。このときセッション＃１及びセッション＃２の通信帯域の総和がＷＡＮ側の予め決められた通信帯域即ち９Ｍｂｐｓに等しくなるように読み出し比率を再計算する。これにより、セッション＃１、セッション＃２が夫々４．５Ｍｂｐｓの通信帯域でパケットが読み出されることになる。
【００２９】
なお、上記実施の形態に係るゲートウェイ装置の機能をプログラム化して、半導体記憶媒体、磁気記憶媒体、光記憶媒体、光磁気記憶媒体等の記憶媒体に格納することで、コンピュータ制御の既存のゲートウェイ装置にも適用することが可能である。
【００３０】
このプログラムは、例えば以下のようになる。
各セッション＃１〜＃ｎの切断及び接続を監視する接続監視手順；
各セッション＃１〜＃ｎに優先度の異なる複数キュー＃１〜＃ｎに対してパケットを振り分けるパケット振り分け手順；
各セッション＃１〜＃ｎの複数キュー＃１〜＃ｎに格納されたパケットの読み出し比率を計算し、また各セッションの切断又は接続があったときにはパケット読み出し比率の再計算を行うパケット読み出し比率計算手順；
パケット読み出し比率計算手順で計算されたパケット読み出し比率で各セッション＃１〜＃ｎの複数キュー＃１〜＃ｎからパケットの読み出しを行うパケット読み出し手順。
【００３１】
このように、本実施の形態に係るゲートウェイ装置によれば、各セッション＃１〜＃ｎに優先度の異なるキュー＃１〜＃ｎに対してパケットを振り分けて格納し、更に各セッション＃１〜＃ｎのキュー＃１〜＃ｎに格納したパケットを予め決定した比率で読み出し、各セッション＃１〜＃ｎの切断又は接続があった場合には、現時点で設定されている各セッション＃１〜＃ｎの通信帯域の総和が等しくなるようにパケット読み出し比率を再計算する。
【００３２】
したがって、あるセッションが開放されたときに、開放されたセッションが確保していた通信帯域を他のセッションが使用することができ、通信帯域を有効に活用することが可能となる。すなわち、接続中の各セッションにおける通信帯域の公平性を保つことが可能となる。
【００３３】
（実施の形態２）
図５及び図６は、本発明の実施の形態２に係るゲートウェイ装置の動作説明図である。この場合、図５は、各ユーザＡ〜Ｃが夫々ＰＰＰｏＥセッションを確立し、各セッションの中には優先度の異なる３種類のデータが流れる場合を示している。図６は、各セッション＃１〜＃３毎のキュー＃１〜＃３のうち、予め優先度が最も低レベルに設定されたキューのみ読み出し比率を再計算する優先制御を示している。なお、図３の動作説明図と同様にセッション数を「３」、各セッションのキュー数を「３」としているが、これらの値に限定はない。
【００３４】
図６に示すように、ユーザＣが使用していたセッション＃３が切断されると、接続監視部１１が切断を検知して計算部１５に通知する。計算部１５はセッション切断の通知を受けると、キュー部１２からのパケット読み出し比率を再計算する。このときセッション＃１及びセッション＃２の優先度が異なる３つのキューのうち、最も優先度の低いキュー即ちキュー＃３のみ読み出し比率の再計算を行う。セッション＃３が切断されたことにより解放される通信帯域は３Ｍｂｐｓのため、セッション＃１、セッション＃２における、「その他のデータ」が流れる低優先キューの読み出し比率は１．５Ｍｂｐｓずつ増加されて、２Ｍｂｐｓと２．５Ｍｂｐｓとなり、これらの通信帯域でパケットが読み出されることになる。
【００３５】
本実施の形態では、各セッション＃１〜＃３のキュー＃１〜＃３のうち、予め優先度が最も低レベルに設定したキューに対してのみ、パケット読み出し比率を再計算することで、接続中の各セッションにおける高優先度データ用の帯域を確保した通信帯域の有効利用が可能となる。
【００３６】
（実施の形態３）
図７は、本発明の実施の形態３に係るゲートウェイ装置の動作説明図である。
本実施の形態では、各セッション＃１〜＃３のキュー＃１〜＃３毎に予め優先付けされて決められた読み出し比率を維持した状態で、各セッション＃１〜＃３の通信帯域の総和を再計算する優先制御を行う。
【００３７】
図７において、ユーザＣが使用していたセッション＃３が切断されると、接続監視部１１が切断を検知して計算部１５に通知し、これにより計算部１５がキュー部１２からのパケット読み出し比率を再計算する。このときセッション＃１及びセッション＃２の優先度が異なる３つのキュー＃１〜＃３における優先度の割合を維持した状態でセッション＃３が解放されたことによる通信帯域の増加分が再計算される。
【００３８】
その結果、セッション＃１の各キューの読み出し比率は、画像データ用のキュー＃１が３Ｍｂｐｓ、ＷＥＢデータ用のキュー＃２が０．７５Ｍｂｐｓ、その他のデータ用のキュー＃３が０．７５Ｍｂｐｓとなる。すなわち、セッション＃１には１．５Ｍｂｐｓだけ増加するので、図５に示す画像：２Ｍｂｐｓ、ＷＥＢ：０．５Ｍｂｐｓ、その他：０．５Ｍｂｐｓの比率が４：１：１であることから、１Ｍｂｐｓ：０．２５Ｍｂｐｓ：０．２５Ｍｂｐｓ増分し、図７に示すように３Ｍｂｐｓ：０．７５Ｍｂｐｓ：０．７５Ｍｂｐとなる。
【００３９】
また、セッション＃２の各キューの読み出し比率は、画像データ用のキュー＃１が１．５Ｍｂｐｓ、ＷＥＢデータ用のキュー＃２が１．５Ｍｂｐｓ、その他のデータ用のキュー＃３が１．５Ｍｂｐｓとなる。すなわち、セッション＃２には１．５Ｍｂｐｓだけ増加するので、図５に示す画像：１Ｍｂｐｓ、ＷＥＢ：１Ｍｂｐｓ、その他：１Ｍｂｐｓの比率が１：１：１であることから、０．５Ｍｂｐｓ：０．５Ｍｂｐｓ：０．５Ｍｂｐｓ増分し、図７に示すように、１．５Ｍｂｐｓ：１．５Ｍｂｐｓ：１．５Ｍｂｐとなる。
【００４０】
本実施の形態では、各セッション＃１〜＃ｎのキュー＃１〜＃ｎに予め優先付けして決定したパケット読み出し比率を維持した状態で、前記各セッションの通信帯域の総和を再計算するので、接続中の各セッション＃１〜＃ｎにおける優先比率を変えることなく通信帯域の有効利用ができる。
【００４１】
（実施の形態４）
図８は、本発明の実施の形態４に係るゲートウェイ装置の動作説明図である。
本実施の形態では、セッション＃１に限ってキューの読み出し比率を再計算する優先制御を行う。
【００４２】
ユーザＣが使用していたセッション＃３が切断されると、接続監視部１１が切断を検知して計算部１５に通知し、これにより計算部１５がキュー部１２からのパケット読み出し比率を再計算する。このとき、予め決められたセッション＃１のみパケットの読み出し比率が再計算され、セッション＃１のパケット読み出し比率は、画像データ用キュー４Ｍｂｐｓ、ＷＥＢデータ用キュー１Ｍｂｐｓ、その他のデータ用キュー１Ｍｂｐｓとなる。すなわち、セッション＃１には３Ｍｂｐｓ増加するので、図５に示す画像：２Ｍｂｐｓ、ＷＥＢ：０．５Ｍｂｐｓ、その他：０．５Ｍｂｐｓの比率が４：１：１であることから、２Ｍｂｐｓ：０．５Ｍｂｐｓ：０．５Ｍｂｐｓ増分し、図８に示すように、４Ｍｂｐｓ：１Ｍｂｐｓ：１Ｍｂｐとなる。
【００４３】
本実施の形態では、セッション＃１〜＃ｎのうち、所定のセッションのみパケット読み出し比率を再計算するので、接続中のある優遇されたセッションの通信帯域を優先的に確保することが可能となる。
【００４４】
【発明の効果】
以上説明したように、本発明によれば、ＰＰＰｏＥによる通信を行っていたユーザがＰＰＰｏＥセッションを解放した場合、接続監視手段がユーザのセッション解放を検知した時点で、ユーザが確保していた通信帯域を別のユーザのセッションに振り分けるので、通信帯域の有効活用が可能となる。
【図面の簡単な説明】
【図１】本発明の実施の形態１に係るゲートウェイ装置の構成を示すブロック図
【図２】本発明の実施の形態１に係るゲートウェイ装置を用いたネットワークの構成を示す図
【図３】本発明の実施の形態１に係るゲートウェイ装置の動作説明図
【図４】本発明の実施の形態１に係るゲートウェイ装置の動作説明図
【図５】本発明の実施の形態２に係るゲートウェイ装置の動作説明図
【図６】本発明の実施の形態２に係るゲートウェイ装置の動作説明図
【図７】本発明の実施の形態３に係るゲートウェイ装置の動作説明図
【図８】本発明の実施の形態４に係るゲートウェイ装置の動作説明図
【符号の説明】
１０  ゲートウェイ装置
１１  接続監視部
１２  キュー部
１３  振り分け部
１４  読み出し部
１５  計算部
【図１】
2004179684.tif 000003
【図２】
2004179684.tif 000004
【図３】
2004179684.tif 000005
【図４】
2004179684.tif 000006
【図５】
2004179684.tif 000007
【図６】
2004179684.tif 000008
【図７】
2004179684.tif 000009
【図８】
2004179684.tif 000010